(57)【要約】【課題】外部ディスプレイ付き交換レンズの省電力化を図りつつ、撮像システムの使い勝手を向上させる。【解決手段】交換レンズ１０１は、撮像装置１２０に取り外し可能に装着される。交換レンズは、情報を表示する電子表示手段１１６と、交換レンズの動作を制御するレンズ制御手段１０２，１１５とを有する。レンズ制御手段は、交換レンズの動作状態を、撮像装置との通信を行うと共に電子表示手段に情報を表示させる通常動作状態と、交換レンズの消費電力が通常動作状態よりも低い状態で電子表示手段に情報を表示させる第１の低消費電力状態とに設定することが可能である。動作状態が通常動作状態であるときに交換レンズの消費電力を低下させる電力低下命令を撮像装置から受信することに応じて、通常動作状態から動作状態を第１の低消費電力状態に移行させる。【選択図】図１
2016075900.tif 000002
【特許請求の範囲】
【請求項１】
撮像装置に取り外し可能に装着される交換レンズであって、
情報を表示する電子表示手段と、
前記交換レンズの動作を制御するレンズ制御手段とを有し、
前記レンズ制御手段は、
前記交換レンズの動作状態を、前記撮像装置との通信を行うと共に前記電子表示手段に情報を表示させる通常動作状態と、前記交換レンズの消費電力が前記通常動作状態よりも低い状態で前記電子表示手段に情報を表示させる第１の低消費電力状態とに設定することが可能であり、
前記動作状態が前記通常動作状態であるときに前記交換レンズの消費電力を低下させる電力低下命令を前記撮像装置から受信することに応じて、前記動作状態を前記通常動作状態から前記第１の低消費電力状態に移行させることを特徴とする交換レンズ。
【請求項２】
前記レンズ制御手段は、
前記交換レンズの動作状態を前記電子表示手段に情報を表示させず、前記交換レンズの消費電力が前記第１の低消費電力状態よりも低い第２の低消費電力状態に設定することが可能であり、
前記第１の低消費電力状態への移行後に所定時間が経過することに応じて、前記動作状態を前記第１の低消費電力状態から前記第２の低消費電力状態に移行させることを特徴とする請求項１に記載の交換レンズ。
【請求項３】
前記第１の低消費電力状態において前記電子表示手段が情報を表示するための電力は、前記通常動作状態において前記電子表示手段が情報を表示するための電力よりも低いことを特徴とする請求項１または２に記載の交換レンズ。
【請求項４】
前記交換レンズに含まれるアクチュエータ、角速度検出手段、加速度検出手段、マイクロコンピュータのうち少なくとも１つの前記第１の低消費電力状態における消費電力は、前記通常動作状態における消費電力よりも低いことを特徴とする請求項１から３のいずれか一項に記載の交換レンズ。
【請求項５】
前記レンズ制御手段は、
前記電力低下命令に対して第１の制御と第２の制御とを選択的に行い、
前記第１の制御では、前記電力低下命令を受信することに応じて前記通常動作状態から前記第１の低消費電力状態への切り替えを行い、該切り替え後に前記第２の低消費電力状態への切り替えを行い、
前記第２の制御では、前記電力低下命令を受信することに応じて、前記通常動作状態から前記第１の低消費電力状態を経ずに前記第２の低消費電力状態への切り替えを行うことを特徴とする請求項２に記載の交換レンズ。
【請求項６】
前記レンズ制御手段は、
前記撮像装置からの前記電力低下命令として、
前記第１の低消費電力状態への移行命令を受信した場合には、該移行命令を受信することに応じて前記通常動作状態から前記第１の低消費電力状態への切り替えを行い、
前記第２の低消費電力状態への移行命令を受信した場合には、該移行命令を受信することに応じて、前記通常動作状態から前記第１の低消費電力状態を経ずに前記第２の低消費電力状態への切り替えを行うことを特徴とする請求項２に記載の交換レンズ。
【請求項７】
前記レンズ制御手段は、前記第１の低消費電力状態において該交換レンズまたは前記撮像装置に対するユーザによる操作が行われた場合は、前記動作状態を前記第１の低消費電力状態から前記通常動作状態に復帰させることを特徴とする請求項１から６のいずれか一項に記載の交換レンズ。
【請求項８】
請求項１から７のいずれか一項に記載の交換レンズが取り外し可能に装着される撮像装置であって、
該撮像装置に対する操作が行われない無操作状態の継続時間をカウントするタイマと、
前記継続時間が所定時間に達することに応じて前記交換レンズに対して前記電力低下命令を送信する命令手段とを有することを特徴とする撮像装置。
【請求項９】
撮像装置に取り外し可能に装着され、情報を表示する電子表示手段を有する交換レンズであって、該交換レンズの動作状態を、前記撮像装置との通信を行うと共に前記電子表示手段に情報を表示させる通常動作状態と、該交換レンズの消費電力が前記通常動作状態よりも低い状態で前記電子表示手段に情報を表示させる第１の低消費電力状態とに設定することが可能な交換レンズのコンピュータに処理を実行させるコンピュータプログラムであって、
前記コンピュータに、
前記動作状態が前記通常動作状態にあるときに前記交換レンズの消費電力を低下させる電力低下命令を前記撮像装置から受信することに応じて、前記動作状態を前記通常動作状態から前記第１の低消費電力状態に移行させる処理を実行させることを特徴とするレンズ制御プログラム。
【発明の詳細な説明】
【技術分野】
【０００１】
本発明は、交換レンズに関し、特に外部ディスプレイを有する交換レンズの省電力技術に関する。
【背景技術】
【０００２】
デジタルカメラ等の撮像装置には、通常動作状態において所定時間の間ユーザにより何の操作もなされかった場合に低消費電力状態（パワーセーブモード）に移行する省電力機能が備えられている。レンズ交換型の撮像装置と交換レンズを含む撮像システムでは、撮像装置が低消費電力状態に移行する際に、撮像装置から交換レンズに低消費電力状態への移行命令が送信される。該移行命令を受けた交換レンズは、通常動作状態から低消費電力状態に移行する。例えば、交換レンズが撮像システムに関する情報を表示する外部ディスプレイ（以下、レンズ外部ディスプレイという）を有する場合は、低消費電力状態への移行に伴ってレンズ外部ディスプレイを表示状態から非表示状態にする。
【０００３】
なお、撮像装置における省電力方法として、特許文献１には、外部ディスプレイを有する撮像装置の姿勢が外部ディスプレイを見やすい正姿勢であるときは、他の姿勢であるときよりも外部ディスプレイの照明を継続する時間を短くする方法が開示されている。
【先行技術文献】
【特許文献】
【０００４】
【特許文献１】特開２０００−１９６１８号公報
【発明の概要】
【発明が解決しようとする課題】
【０００５】
前述したように撮像装置の低消費電力状態への移行とほぼ同時にレンズ外部ディスプレイが表示状態から非表示状態に移行すると、撮像装置を操作せずにレンズ外部ディスプレイで上記情報を確認していたユーザが該情報を見られなくなってしまう。再び該情報をレンズ外部ディスプレイで見たい場合には、ユーザが交換レンズまたは撮像装置に対して何らかの操作を行って交換レンズまたは撮像システム全体を通常動作状態に復帰させる必要がある。このようなレンズ外部ディスプレイの非表示状態への移行に伴う通常動作状態への復帰操作が頻繁に必要となるのでは、撮像システムの使い勝手が低下する。
【０００６】
本発明は、省電力化を図りつつ、撮像システムの使い勝手を向上させることができるようにした外部ディスプレイ付き交換レンズを提供する。
【課題を解決するための手段】
【０００７】
本発明の一側面としての交換レンズは、撮像装置に取り外し可能に装着される。該交換レンズは、情報を表示する電子表示手段と、交換レンズの動作を制御するレンズ制御手段とを有する。レンズ制御手段は、交換レンズの動作状態を、撮像装置との通信を行うと共に電子表示手段に情報を表示させる通常動作状態と、交換レンズの消費電力が通常動作状態よりも低い状態で電子表示手段に情報を表示させる第１の低消費電力状態とに設定することが可能である。そして、動作状態が通常動作状態であるときに交換レンズの消費電力を低下させる電力低下命令を撮像装置から受信することに応じて、動作状態を通常動作状態から第１の低消費電力状態に移行させることを特徴とする。
【０００８】
また、本発明の他の一側面としての撮像装置は、上記交換レンズが取り外し可能に装着される。該撮像装置は、該撮像装置に対する操作が行われない無操作状態の継続時間をカウントするタイマと、継続時間が所定時間に達することに応じて交換レンズに対して電力低下命令を送信する命令手段とを有することを特徴とする。
【０００９】
また、本発明の他の一側面としてのレンズ制御プログラムは、撮像装置に取り外し可能に装着され、情報を表示する電子表示手段を有する交換レンズであって、動作状態を、撮像装置との通信を行うと共に電子表示手段に情報を表示させる通常動作状態と、該交換レンズの消費電力が通常動作状態よりも低い状態で電子表示手段に情報を表示させる第１の低消費電力状態とに設定することが可能な交換レンズのコンピュータに処理を実行させるコンピュータプログラムである。該プログラムは、コンピュータに、動作状態が通常動作状態にあるときに、交換レンズの消費電力を低下させる電力低下命令を撮像装置から受信することに応じて、動作状態を通常動作状態から第１の低消費電力状態に移行させる処理を実行させることを特徴とする。
【発明の効果】
【００１０】
本発明では、電力低下命令を撮像装置から受信することに応じて動作状態を通常動作状態から電子表示手段への情報表示が可能な第１の低消費電力状態に移行させる。これにより、交換レンズでの消費電力を抑えつつ、電子表示手段に表示された情報をユーザに確認させることができ、表示された情報を確認するための復帰操作を頻繁に行う必要をなくすることができる。これにより、使い勝手の良い撮像システムを実現することができる。
【図面の簡単な説明】
【００１１】
【図１】本発明の実施例である交換レンズを含む撮像システムの構成を示すブロック図。
【図２】実施例１の交換レンズの動作を示すフローチャート。
【図３】本発明の実施例２である交換レンズの動作を示すフローチャート。
【発明を実施するための形態】
【００１２】
以下、本発明の実施例について図面を参照しながら説明する。
【実施例１】
【００１３】
図１には、本発明の実施例１である交換レンズ１０１と該交換レンズ１０１が取り外し可能に装着される撮像装置としての一眼レフデジタルカメラ（以下、カメラ本体という）１２０とを含む撮像システムの構成を示している。
【００１４】
交換レンズ１０１は、不図示のマウントを介してカメラ本体１２０に機械的および電気的に接続される。カメラ本体１２０内に設けられたカメラＣＰＵ１２１と交換レンズ１０１内に設けられたレンズＣＰＵ１０２は、マウントに設けられた通信端子１２５，１０４を介して情報、データおよび命令等を通信することができる。例えば、カメラＣＰＵ１２１は、レンズＣＰＵ１０２に対して、後述するフォーカスレンズや絞りの駆動命令を送信したり、低消費電力状態への移行命令を送信したりする。
【００１５】
また、レンズＣＰＵ１０２は、交換レンズ１０１の光学情報（焦点距離、絞り値、フォーカス敏感度、ピント補正量等）や特性情報（最大通信速度、開放絞り値、ズームレンズか否か、オートフォーカス可能な像高等）をカメラＣＰＵ１２１に送信する。これら光学情報や特性情報は、レンズマイコン１１４に記憶されている。カメラＣＰＵ１２１は、交換レンズ１０１の光学情報や特性情報を取得することで、オートフォーカス（ＡＦ）、自動露出制御（ＡＥ）および画像補正等を適切に行うことができる。また、交換レンズ１０１は、マウントに設けられた不図示の電源端子を通じてカメラ本体１２０から電源供給も受ける。
【００１６】
交換レンズ１０１は、撮影光学系と駆動制御系（レンズＣＰＵ１０２、メモリ１１４および駆動部１０６，１０８，１１２等）を有する。
【００１７】
撮影光学系は、物体（被写体）側から順に光軸ＯＡに沿って、フォーカスレンズ群１０５、変倍レンズ群１０３、絞り１０７および振れ補正レンズ群１１０を含み、被写体からの光に被写体像を形成させる。なお、図では各レンズ群を１枚のレンズとして示しているが、実際には１又は複数枚のレンズにより構成されている。
【００１８】
フォーカスレンズ群（以下、単にフォーカスレンズという）１０５は、ＡＦ時にステッピングモータ等のフォーカスアクチュエータを含むＡＦ駆動部１０６によって光軸ＯＡに沿った方向に移動されて焦点調節を行う。ＡＦ駆動部１０６は、カメラＣＰＵ１２１からのフォーカスレンズ駆動命令を受けたレンズＣＰＵ１０２によって制御される。また、フォーカスレンズ１０５は、マニュアルフォーカス（ＭＦ）時にマニュアルフォーカスリング等の操作部材を含むＭＦ駆動機構１１３を介してユーザの手動操作により移動されて焦点調節を行う。
【００１９】
変倍レンズ群１０３は、不図示のマニュアルズームリング等の操作部材を含むズーム駆動部を介してユーザの手動操作により光軸ＯＡに沿った方向に移動されて撮影光学系の焦点距離を変更する（すなわち、変倍を行う）。
【００２０】
絞り１０７は、ステッピングモータ等の絞りアクチュエータを含む絞り駆動部１０８によってその開口径（絞り径）が変更されることで、カメラ本体１２０に設けられた撮像素子１２９に入射する光量を調節する。絞り駆動部１０８は、カメラＣＰＵ１２１からの絞り駆動命令を受けたレンズＣＰＵ１０２によって制御される。
【００２１】
振れ補正レンズ１１０は、ボイスコイルモータ等のＩＳアクチュエータを含む振れ補正（ＩＳ）駆動部１１２によって光軸ＯＡに直交する方向に移動されて、手振れによる像振れを低減する。なお、「光軸ＯＡに直交する方向」は、該方向の成分を含めば、光軸ＯＡに対して斜めの方向や光軸ＯＡ上の点を中心として円弧を描く方向も含む。振れ補正レンズ１１０の駆動量は、交換レンズ１０１に含まれる角速度検出部（角速度検出手段）１１８や加速度検出部（加速度検出手段）１１９からの出力に基づいて設定される。ＩＳロック駆動部１１１は、像振れ補正が行われないときに、ステッピングモータ等のロックアクチュエータを駆動して、振れ補正レンズ１１０をその光軸が撮影光学系の光軸ＯＡ上に位置するロック位置に固定する。
【００２２】
レンズ外部ディスプレイ（電子表示手段）１１６は、交換レンズ１０１の外周面の上部に取り付けられ、液晶パネルや有機ＥＬパネル等により構成される。レンズ外部ディスプレイ１１６は、交換レンズ１０１、カメラ本体１２０およびこれらに接続可能な不図示の撮像用アクセサリ（つまりは撮像システム）に関する様々な情報を表示する。レンズ外部ディスプレイ１１６に表示される情報としては、焦点距離、絞り値、フォーカスモード（ＡＦ／ＭＦ）、手振れ補正モードのＯＮ／ＯＦＦ、接続されているカメラ本体１２０や撮像用アクセサリの名称（型番）等がある。
【００２３】
レンズ外部ディスプレイ１１６には、タッチセンサ１１７が設けられている。レンズ外部ディスプレイ１１６上でユーザが指等で行ったタッチ操作は、タッチセンサ１１７によって検出され、その検出結果をレンズＣＰＵ１０２に入力する。
【００２４】
電源制御部１１５は、カメラ本体１２０から供給された電源から、レンズＣＰＵ１０２、各駆動部１０６，１０８，１１１，１１２、レンズ外部ディスプレイ１１６およびタッチセンサ１１７の動作に必要な電力を生成して、これらに供給する。
【００２５】
後述するように、本実施例では、レンズＣＰＵ１０２は、カメラＣＰＵ１２１から低消費電力状態への移行命令を受けることに応じて、交換レンズ１０１を通常動作状態から第１の低消費電力状態に移行させる。具体的には、レンズＣＰＵ１０２は、電源制御部１１５を制御して、それまで電源制御部１１５から交換レンズ１０１内の各部に供給されていた電力を低下させたり該電力の供給を遮断したりする。また、レンズＣＰＵ１０２も、自身の動作を制限して、消費電力が低くなるようにする。
【００２６】
ここで、第１の低消費電力状態において、レンズＣＰＵ１０２は、レンズ外部ディスプレイ１１６に対しては電力供給を遮断しない。通常動作状態と比較して供給電力を低下させるか、または通常動作状態と同等の電力を供給する。
【００２７】
通常動作状態と比較して供給電力を低下させる場合には、レンズ外部ディスプレイ１１６への供給電力を、レンズ外部ディスプレイ１１６が見やすく情報を表示できる通常表示用電力から低電力表示用電力に低下させる。低電力表示用電力とは、情報の表示を維持するために必要な最低限の電力またはそれに近い電力を示す。
【００２８】
例えば、レンズ外部ディスプレイ１１６がバックライト付き液晶パネルにより構成されている場合には、通常動作状態ではバックライトを明るく点灯させて表示する情報の視認性を高くした状態である。これに対して、第１の低消費電力状態は、通常動作状態に比べてバックライトを減光することで消費電力を低くした状態であり、視認性は低くなるものの表示された情報をユーザが見ることが可能な状態である。また、レンズ外部ディスプレイ１１６が有機ＥＬパネルにより構成されている場合には、通常動作状態は、表示輝度（発光輝度）を明るくして表示する情報の視認性を高くした状態である。これに対して、第１の低消費電力状態は、通常動作状態に比べて、表示輝度を低くすることで消費電力を低くした状態であり、視認性は低くなるものの表示された情報をユーザが見ることが可能な状態である。
【００２９】
通常動作状態と比較して、低消費電力状態において、レンズ外部ディスプレイ１１６に対する供給電力を変化させない場合には、レンズ外部ディスプレイ１１６以外の交換レンズ１０１内の各部の消費電力を低下させる。例えば、第１の低消費電力状態においては、レンズ外部ディスプレイ１１６の表示のみを行い、ＡＦ駆動部１０６や絞り駆動部１０８等への電力供給を遮断する。また、ＡＦ駆動部１０６、絞り駆動部１０８、振れ補正駆動部１１２、角速度検出部１１８、加速度検出部１１９およびレンズＣＰＵ１０２の少なくとも１つの消費電力を通常動作状態よりも低下させた状態を第１の低消費電力状態としてもよい。つまり、第１の低消費電力状態は、通常動作状態と比較して、交換レンズ１０１全体としての消費電力を低下させた上で、レンズ外部ディスプレイ１１６の表示を継続（維持）する状態である。
【００３０】
さらに、レンズＣＰＵ１０２は、第１の低消費電力状態への切り替え後の経過時間をカウントする。そして、該経過時間が所定時間に達した、つまりは所定時間が経過した（かつその時点まで後述する復帰操作が行われていない）ことに応じて、電源制御部１１５を介して交換レンズ１０１の消費電力をさらに低下させた第２の低消費電力状態に移行させる。第２の低消費電力状態では、レンズ外部ディスプレイ１１６への電力供給が遮断され、これによりレンズ外部ディスプレイ１１６での情報は表示されなくなる。
【００３１】
以上説明したように、レンズＣＰＵ１０２は、カメラＣＰＵ１２１から低消費電力状態への移行命令を受けることに応じて、レンズ外部ディスプレイ１１６を直ちに非表示状態にすることなく、交換レンズ１０１の動作状態を第１の低消費電力状態に移行させる。これにより、カメラＣＰＵ１２１から頻繁に低消費電力状態への移行命令を受けた場合にも、レンズ外部ディスプレイ１１６が表示状態と非表示状態の間で変化を繰り返すことを防止することができる。
【００３２】
以下の説明において、カメラＣＰＵ１２１からレンズＣＰＵ１０２に送信される低消費電力状態への移行命令を、電力低下命令としてのレンズパワーセーブ命令という。また、交換レンズ１０１の通常動作状態をレンズ通常動作モードといい、交換レンズ１０１の第１の低消費電力状態を第１のレンズパワーセーブモードという。さらに、第２の低消費電力状態を第２のレンズパワーセーブモードという。レンズ外部ディスプレイ１１６の動作状態としては、レンズ通常動作モードでは通常表示状態、第２のレンズパワーセーブモードは非表示状態となる。第１のレンズパワーセーブモードでは、通常表示状態または通常表示状態よりも消費電力が低下した低電力表示状態となる。
【００３３】
レンズＣＰＵ１０２と電源制御部１１５は、レンズ制御手段を構成する。本実施例では、レンズＣＰＵ１０２の外部に電源制御部１１５が設けられている場合について説明するが、電源制御部１１５がレンズＣＰＵ１０２に内蔵されていてもよい。
【００３４】
レンズＣＰＵ１０２は、マイクロコンピュータにより構成され、カメラＣＰＵ１２１と通信を行いながら、交換レンズ１０１内の各部の動作を制御する。レンズＣＰＵ１０２は、不図示の内部メモリに、制御に用いるコンピュータプログラムや各種パラメータのデータを格納している。
【００３５】
また、交換レンズ１０１には、ＡＦとＭＦを選択するＡＦ／ＭＦスイッチや振れ補正レンズ１１０を駆動する像振れ補正動作を行うか否かを選択するＩＳスイッチが設けられている。これらスイッチの操作に応じた選択信号は、レンズＣＰＵ１０２に入力されるとともに、カメラＣＰＵ１２１に送信される。
【００３６】
カメラ本体１２０には、カメラＣＰＵ１２１、カメラメモリ１２２、メインミラー１２３ａ、サブミラー１２３ｂ、ファインダ光学系（１２６，１２７）、シャッター１２８、撮像素子１２９、背面ディスプレイ１３０およびレリーズボタン１３１が設けられている。また、カメラ本体１２０には、不図示の電源スイッチも設けられている。
【００３７】
メインミラー１２３ａとサブミラー１２３ｂは、図１に示すように光軸ＯＡ上に位置するミラーダウン状態と、図示はしないが光軸ＯＡ上から退避するミラーアップ状態との間で回動可能に構成されている。メインミラー１２３ａはハーフミラーにより構成され、ミラーダウン状態では撮影光学系を通過してきた被写体からの光の一部をファインダ光学系に反射し、残りの光を透過する。サブミラー１２３ｂは、ミラーダウン状態において、メインミラー１２３ａを透過した被写体からの光をＡＦセンサ１２４に反射する。メインミラー１２３ａとサブミラー１２３ｂがミラーアップ状態となることで、撮影光学系を通過してきた被写体からの光はシャッター１２８および撮像素子１２９に向かう。
【００３８】
なお、本実施例ではメインミラー１２３ａとサブミラー１２３ｂを有する一眼レフタイプのカメラ本体について説明するが、これらミラーを有さないいわゆるミラーレスタイプのカメラ本体を用いてもよい。
【００３９】
ファインダ光学系は、ペンタプリズム１２６と接眼レンズ１２７とにより構成され、メインミラー１２３ａで反射された被写体からの光（被写体像）のユーザによる観察を可能にする。
【００４０】
ＡＦセンサ１２４は、サブミラー１２３ｂで反射された光に一対の被写体像を形成させるＡＦ光学系（図示せず）を含み、該一対の被写体像を光電変換して一対の被写体像信号を生成する。ＡＦセンサ１２４は、カメラＣＰＵ１２１からの演算指令に応じて、該一対の被写体像信号の位相差を検出（演算）する。
【００４１】
カメラＣＰＵ１２１は、マイクロコンピュータにより構成され、カメラ本体１２０の各部を制御するととともに、レンズＣＰＵ１０２と通信をしながら交換レンズ１０１の制御も司る。
【００４２】
カメラＣＰＵ１２１は、交換レンズ１０１に設けられたＡＦ／ＭＦスイッチによりＡＦが選択されている場合には、ＡＦセンサ１２４から得られる位相差から撮影光学系のデフォーカス量を算出する。これにより、いわゆる位相差検出方式の焦点検出を行う。さらに、カメラＣＰＵ１２１は、デフォーカス量から、合焦状態を得るためのフォーカスレンズ１０５の移動量を算出し、該移動量を含むフォーカスレンズ駆動命令をレンズＣＰＵ１０２に送信する。レンズＣＰＵ１０２は、フォーカス駆動命令に従ってフォーカス駆動部１０６を制御し、フォーカスレンズ１０５を移動させる。これにより、位相差検出方式でのＡＦ（位相差ＡＦ）が行われる。なお、カメラ本体がミラーレスタイプである場合には、撮像素子に設けられた複数の画素をＡＦセンサとして用いた位相差ＡＦが行われる。
【００４３】
レリーズボタン１３１が半押し操作されると、それを検出したカメラＣＰＵ１２１は前述したＡＦや測光等の撮影準備動作を行う。カメラＣＰＵ１２１は、不図示の測光センサにより得られた測光結果またはユーザが設定した絞り値に応じて絞り１０７の駆動量を算出し、レンズＣＰＵ１０２に送信する。レンズＣＰＵ１０２は、これに応じて絞り駆動部１０８を制御して絞り１０７を駆動する。また、カメラＣＰＵ１２１は、測光結果に応じてシャッタースピードを演算する。シャッタースピードは、ユーザによって設定される場合もある。
【００４４】
撮影準備動作において、カメラＣＰＵ１２１は測光タイマを起動させる。そして、該測光タイマによる時間カウント中にファインダ光学系内の不図示の表示部や背面ディスプレイ１３０に、演算した又は設定されたシャッタースピード、絞り値およびこれらにより得られる露出レベルを表示させる。これらシャッタースピード、絞り値および露出レベルは、レンズＣＰＵ１０２を通じてレンズ外部ディスプレイ１１６にも表示される。測光タイマは、レリーズボタン１３１が半押し操作が継続されたり、不図示の電子ダイヤルやＡＥロックボタン等の操作部材が操作されたりすることに応じて更新される。
【００４５】
また、交換レンズ１０１に設けられたＩＳスイッチにて像振れ補正動作を行う選択がなされていた場合、カメラＣＰＵ１２１は、レリーズボタン１３１の半押し操作に応じて、レンズＣＰＵ１０２に対して像振れ補正命令を送信する。レンズＣＰＵ１０２は、ＩＳロック駆動部１１１を制御して振れ補正レンズ１１０の固定を解除するとともに、ＩＳ駆動部１１２を制御して像振れ補正動作を開始させる。
【００４６】
レリーズボタン１３１が全押し操作されると、それを検出したカメラＣＰＵ１２１は、ミラー１２３ａ，１２３ｂをミラーアップ状態に回動させ、シャッター１２８を開閉動作させて撮像素子１２９を露光し、撮影記録動作を行う。
【００４７】
撮像素子１２９は、ＣＣＤセンサやＣＭＯＳセンサ等の光電変換素子により構成されている。カメラＣＰＵ１２１は、撮像素子１２９からの出力に基づいて画像データ（撮影画像）を生成し、これを不図示の記録媒体に記録したり背面ディスプレイ１３０に表示したりする。
【００４８】
背面ディスプレイ１３０は、前述したシャッタースピード、絞り値および露出レベルや撮影画像を表示するほか、各種撮影モードを選択および設定するためのタッチパネル機能を備えている。同様の撮影モードの選択や設定する機能を、タッチセンサ１１７を備えたレンズ外部ディスプレイ１１６に設けてもよい。
【００４９】
カメラＣＰＵ１２１は、電源スイッチがＯＮ操作されることに応じてカメラ本体１２０を、撮影準備動作や撮影記録動作等が可能な通常動作状態（以下、カメラ通常動作モードという）に移行させる。また、カメラＣＰＵ１２１は、電源スイッチがＯＦＦ操作されることに応じてカメラ本体１２０の動作を停止させる。
【００５０】
カメラ通常動作モードにおいて所定継続時間の間、カメラ本体１２０や交換レンズ１０１に対してユーザ操作が何もなされなかったときには、カメラＣＰＵ１２１は、カメラ本体１２０を低消費電力状態（以下、カメラパワーセーブモードという）に移行させる。このとき、カメラＣＰＵ１２１は、レンズＣＰＵ１０２に対してレンズパワーセーブ命令を送信する。カメラＣＰＵ１２１は、タイマおよび命令手段として機能する。
【００５１】
レンズパワーセーブ命令を受信したレンズＣＰＵ１０２は、前述したように電源制御部１１５を制御して、交換レンズ１０１を通常動作モードから第１のレンズパワーセーブモード、さらには第２のレンズパワーセーブモードに移行させる。
【００５２】
カメラパワーセーブモードにおいて、レリーズボタン１３１が操作されると、カメラＣＰＵ１２１はカメラ本体１２０をカメラ通常動作モードに復帰させる。このとき、カメラ本体１２０のカメラ通常動作モードへの復帰を検知したレンズＣＰＵ１０２も、交換レンズ１０１をその時点での第１または第２のレンズパワーセーブモードからレンズ通常動作モードに復帰させる。また、交換レンズ１０１に設けられたレンズ外部ディスプレイ１１６へのタッチ操作、ＡＦ／ＭＦスイッチやＩＳスイッチの操作に応じて、レンズＣＰＵ１０２は、その時点での第１または第２のレンズパワーセーブモードからレンズ通常動作モードに復帰させる。これらカメラ本体１２０および交換レンズ１０１を各パワーセーブモードから各通常動作モードに復帰させる操作を、復帰操作という。
【００５３】
カメラメモリ１２２は、交換レンズ１０１から受信した撮影光学系の光学情報や特性情報を保存したり、各種撮影モードで使用されるパラメータ等のデータを保存したりする。
【００５４】
図２のフローチャートには、カメラＣＰＵ１２１およびレンズＣＰＵ１０２により行われるパワーセーブ処理の流れを示す。この処理は、カメラＣＰＵ１２１およびレンズＣＰＵ１０２が、コンピュータプログラムであるレンズ制御プログラムに従って実行する。
【００５５】
ステップＳ１０１では、カメラＣＰＵ１２１は、カメラ本体１２０において何の操作もなされない無操作状態の継続時間（以下、無操作時間という）のカウントを開始する。ここでいう操作には、レリーズスイッチ１３１の操作や背面ディスプレイ１３０のタッチ操作等を含む。無操作時間が上述した所定継続時間に達すると、カメラＣＰＵ１２１はステップＳ１０２に進む。
【００５６】
ステップＳ１０２では、カメラＣＰＵ１２１は、レンズパワーセーブ命令をレンズＣＰＵ１０２に送信する。
【００５７】
ステップＳ１０３では、レンズパワーセーブ命令を受信したレンズＣＰＵ１０２は、交換レンズ１０１をレンズ通常動作モードから第１のレンズパワーセーブモードに移行させる。これにより、交換レンズ１０１は、通常動作状態から第１の低消費電力状態に移行する。
【００５８】
次に、ステップＳ１０４では、レンズＣＰＵ１０２は、第１のレンズパワーセーブモードへの移行後の経過時間のカウントを開始する。
【００５９】
ステップＳ１０４で経過時間のカウントを開始した後、ステップＳ１０５では、レンズＣＰＵ１０２は、交換レンズ１０１およびカメラ本体１２０のうち少なくとも一方において前述した復帰操作が行われたか否かを判定する。復帰操作が行われた場合は、レンズＣＰＵ１０２は、ステップＳ１０９に進んで、交換レンズ１０１を第１のレンズパワーセーブモードからレンズ通常動作モードに復帰させる。この際、カメラＣＰＵ１２１は、カメラ本体１２０をカメラパワーセーブモードからカメラ通常動作モードに復帰させる。復帰操作が行われない場合は、レンズＣＰＵ１０２はステップＳ１０６に進む。
【００６０】
ステップＳ１０６では、レンズＣＰＵ１０２は、第１のレンズパワーセーブモードへの移行後の経過時間が所定時間に達したか否か（つまりは移行後に所定時間が経過したか否か）を判定する。経過時間が所定時間に達していなければステップＳ１０５に戻り、経過時間のカウントを継続する。経過時間が所定時間に達したときはステップＳ１０７に進む。
【００６１】
ステップＳ１０７では、レンズＣＰＵ１０２は、交換レンズ１０１を第１のレンズパワーセーブモードから第２のレンズパワーセーブモードに移行させる。これにより、レンズ外部ディスプレイ１１６は、非表示状態に移行する。
【００６２】
その後、ステップＳ１０８において復帰操作が行われると、レンズＣＰＵ１０２はステップＳ１０９に進み、交換レンズ１０１を第２のレンズパワーセーブモードからレンズ通常動作モードに復帰させる。これにより、レンズ外部ディスプレイ１１６は、非表示状態から通常表示状態に移行する。また、カメラＣＰＵ１２１は、カメラ本体１２０をカメラパワーセーブモードからカメラ通常動作モードに復帰させる。この後、カメラ本体１２０および交換レンズ１０１においてユーザ操作が行われなければ、ステップＳ１０１でのカメラＣＰＵ１２１の無操作時間のカウントが開始される。
【００６３】
このように本実施例では、カメラ本体１２０からのレンズパワーセーブ命令に応じて交換レンズ１０１は第１のレンズパワーセーブモードに移行する。このとき、レンズ外部ディスプレイ１１６は、非表示状態とされずに該レンズ外部ディスプレイ１１６での情報の表示は維持される。このため、交換レンズ１０１での消費電力を抑えつつ、レンズ外部ディスプレイ１１６に表示された情報をユーザに確認させることができる。したがって、レンズパワーセーブ命令に応じてすぐにレンズ外部ディスプレイ１１６を非表示状態とする場合に比べて、レンズ外部ディスプレイ１１６に表示された情報を確認するための復帰操作を頻繁に行う必要をなくすることができる。これにより、使い勝手の良い撮像システムを実現することができる。
【実施例２】
【００６４】
次に、本発明の実施例２について説明する。本実施例では、レンズＣＰＵ１０２は、レンズパワーセーブ命令に対する省電力制御として、第１の制御と第２の制御とを選択的に行うことができる。第１の制御では、交換レンズ１０１を、実施例１と同様に第１のレンズパワーセーブモードを経て第２のレンズパワーセーブモードとする制御である。第２の制御は、交換レンズ１０１を、第１のレンズパワーセーブモードを経ずに第２のレンズパワーセーブモードとする制御である。第１および第２の制御の選択は、カメラ本体１２０でのユーザによる選択操作を通じて行える。また、カメラ本体１２０に装着可能な交換レンズには、レンズ外部ディスプレイ１１６を有さないものもある。この場合は、レンズＣＰＵ１０２は第２の制御を設定する。
【００６５】
本実施例の交換レンズ１０１およびカメラ本体１２０の構成は、実施例１と同じであり、実施例１と共通する構成要素には実施例１と同符号を付して説明に代える。
【００６６】
図３のフローチャートには、カメラＣＰＵ１２１およびレンズＣＰＵ１０２により行われるパワーセーブ処理（省電力制御方法）の流れを示す。この処理は、カメラＣＰＵ１２１およびレンズＣＰＵ１０２が、コンピュータプログラムである省電力制御プログラムに従って実行する。ここでは、ステップＳ２０１およびステップＳ２０２は実施例１のステップＳ１０１およびステップＳ１０２と同じである。
【００６７】
ステップＳ２０３では、レンズパワーセーブ命令を受信したレンズＣＰＵ１０２は、交換レンズ１０１がレンズ外部ディスプレイ１１６を有する場合はカメラ本体１２０においてユーザにより第１および第２の制御のうちいずれが選択されているかを判定する。この判定は、カメラＣＰＵ１２１から受信する第１および第２の制御のうちいずれが選択されているかを示す情報に基づいて行われる。また、交換レンズ１０１がレンズ外部ディスプレイ１１６を備えていることをカメラ本体１２０が認識できる場合には、第１の制御と第２の制御のいずれを実行するのかを示す命令をカメラＣＰＵ１２１からレンズＣＰＵ１０２に送信してもよい。レンズＣＰＵ１０２は、交換レンズ１０１がレンズ外部ディスプレイ１１６を有さない場合は、第２の制御を選択（設定）する。第１の制御が選択されている場合はステップＳ２０４に進み、第２の制御が選択されている場合はステップＳ２０８に進む。
【００６８】
ステップＳ２０４〜ステップＳ２１０は、実施例１のステップＳ１０３〜ステップＳ１０９と同じである。ステップＳ２０３からステップＳ２０８に進むことで、レンズＣＰＵ１０２は、交換レンズ１０１をレンズ通常動作モードから、第１のレンズパワーセーブモードを経ずに第２のレンズパワーセーブモードに移行させる。
【００６９】
本実施例でも、第１の制御が選択された場合は、実施例１と同様に、交換レンズ１０１での消費電力を抑えつつ、レンズ外部ディスプレイ１１６に表示された情報をユーザに確認させることができる。したがって、レンズパワーセーブ命令に応じてすぐにレンズ外部ディスプレイ１１６を非表示状態とする場合に比べて、レンズ外部ディスプレイ１１６に表示された情報を確認するための復帰操作を頻繁に行う必要をなくすることができる。これにより、使い勝手の良い撮像システムを実現することができる。
【００７０】
しかも、本実施例では、レンズパワーセーブ命令に応じてすぐにレンズ外部ディスプレイ１１６を非表示状態とする第２の制御も選択することができる。このため、ユーザの希望する省電力制御を行わせることが可能であったり、レンズ外部ディスプレイ１１６を有さない交換レンズにも対応可能であったりする撮像システムを実現することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７１】
以上説明した各実施例は代表的な例にすぎず、本発明の実施に際しては、各実施例に対して種々の変形や変更が可能である。
【符号の説明】
【００７２】
１０１  交換レンズ
１０２  レンズＣＰＵ
１１６  レンズ外部ディスプレイ
１２０  カメラ本体
【図１】
2016075900.tif 000003
【図２】
2016075900.tif 000004
【図３】
2016075900.tif 000005